(57)【要約】      （修正有）【課題】診療現場で使用される低長な腰支持体を備える患者用の回転椅子において、患者が着座した状態から立ち上がったり、着座しようとする際などに、患者の転倒等を有効に防止する。【解決手段】低長な腰支持体５を備える患者用の回転椅子１において、座体４の上下位置操作レバー１５よりも前方に位置させ、かつ座体４の左右両側方に設けた医師用操作レバー１４によって回動停止手段を操作し、座体４の回動の停止と解除を行う。【選択図】図１
2015084933.tif 000002
【特許請求の範囲】
【請求項１】
脚体の脚支柱を軸として回動可能に支持される座体を備える椅子において、前記座体に支持され、着座者の腰を支持する腰支持体を有するとともに、前記座体の回動を適所において停止させる回動停止手段を有し、かつ前記回動停止手段を回動制御操作レバーによって操作しうるようにしたことを特徴とする患者用椅子。
【請求項２】
座体の回動停止手段が、座体に支持された回動制御操作レバーによって操作される係合部材と、脚体に固定された被係合部材とより構成され、前記係合部材と被係合部材の係脱により、前記座体の回動の停止と解除がなされるとともに、回動制御操作レバーの上下方向または前後方向の位置を回動の停止時と解除時によって異なるようにしたことを特徴とする請求項１記載の患者用椅子。
【請求項３】
座体の回動の停止と解除を操作する回動制御操作レバーとともに、座体の上下方向の位置を調節する上下位置操作レバーを有し、かつ前記回動制御操作レバーを、前記上下位置操作レバーの前方に位置させるようにしたことを特徴とする請求項１または２に記載の患者用椅子。
【請求項４】
上下位置操作レバーを、座体の左右側方のいずれか一側方にのみ設けるとともに、回動制御操作レバーを、座体の左右両側方に設けたことを特徴とする請求項３記載の患者用椅子。
【請求項５】
座体の左右両側方に設けた回動制御操作レバーを連結する横杆を、座体の下面に露呈させるとともに、上下位置操作レバーとガススプリングを連係する連係杆を座体の下面から座体における支基の内部に嵌入させたことを特徴とする請求項４記載の患者用椅子。
【請求項６】
回動制御操作レバーによって操作される係合部材を、この係合部材が被係合部材に係合される方向に常時付勢したことを特徴とする請求項２〜５のいずれかに記載の患者用椅子。
【請求項７】
座体の回動停止手段が、座体を単一の特定位置に停止させるように構成したものであることを特徴とする請求項１〜６のいずれかに記載の患者用椅子。
【請求項８】
回動制御操作レバーを、医師を始めとする医療関係者が操作する医師用操作レバーとしたことを特徴とする請求項１〜７のいずれかに記載の患者用椅子。
【発明の詳細な説明】
【技術分野】
【０００１】
本願発明は、例えば病院の診療施設において患者が着座するために使用される、座体が回転可能な椅子であって、着座者の腰だけを支えることのできる低長な腰支持部を備える患者用椅子に関する。
【背景技術】
【０００２】
病院内における診療現場において、医師と患者とが椅子に着座した状態で対向するレイアウトは一般的である。この対向時、患者は長時間にわたる着座を行わないことや、触診のために好都合であることから、特許文献１に開示されるような、腰部だけを支持する低長な腰支持体を有する高さの低い簡易な回転椅子に着座することが多い。
【０００３】
一方、高齢化社会の進行によって、来院する患者の年齢が上昇傾向にある。高齢者は一般的に足腰の力が低下しているため、特許文献１に開示されるような椅子に、着座した状態から立ち上がったり、あるいは着座しようとする際に、さらには診察台やベッド等から乗り移る際に、腰支持体や肘掛け、あるいは座面等に手をかけることにより、座体が回転し、これによってバランスを崩し、自分の身体を支えることができず、転倒する場合が少なからず見られ、患者を負傷させてしまう危険性がある。
【先行技術文献】
【特許文献】
【０００４】
【特許文献１】意匠登録第１１９６８０２号公報
【発明の概要】
【発明が解決しようとする課題】
【０００５】
本発明は、病院等内における診療現場で使用される低長な腰支持体を備える患者用の回転椅子において、患者が着座した状態から立ち上がったり、着座しようとする際、あるいは診察台やベッド等から乗り移る際に、患者の転倒などを有効に防止することができるようにすることを課題とする。
【課題を解決するための手段】
【０００６】
本発明によると、上記課題は、次のようにして解決される。
（１）脚体の脚支柱を軸として回動可能に支持される座体を備える椅子において、前記座体に支持され、着座者の腰を支持する腰支持体を有するとともに、前記座体の回動を適所において停止させる回動停止手段を有し、かつ前記回動停止手段を回動制御操作レバーによって操作しうるようにしたことを特徴とする患者用椅子とする。
【０００７】
このような構成とすることにより、たとえば、患者と対向して診察しようとする医師が、患者が着座あるいは立ち上がろうとする際などに備え、使用前に予め座を固定しておいたり、あるいは使用直前に回動制御操作レバーを操作して座を固定するなど、予め回動制御操作レバーにより、回動停止手段を、座体の回動を停止させるように操作することにより、着座あるいは立上がりのときに、患者が転倒したりすることを有効に防止することができる。
また、診察台やベッド等から当該椅子に乗り移る際にも、医師または看護士等が回動制御操作レバーを操作することにより、患者を負傷させてしまう危険性を防止することができる。
【０００８】
（２）上記（１）項において、座体の回動停止手段が、座体に支持された回動制御操作レバーによって操作される係合部材と、脚体に固定された被係合部材とより構成され、前記係合部材と被係合部材の係脱により、前記座体の回動の停止と解除がなされるとともに、回動制御操作レバーの上下方向または前後方向の位置を回動の停止時と解除時によって異なるようにする。
【０００９】
このように構成することにより、座体の回動の停止と解除を確実に行うことができるとともに、回動制御操作レバーの位置により、停止と解除のいずれの状態にあるかを容易に見分けることができ、誤って操作することを防ぎ、より確実に患者の転倒等を防止することができる。
【００１０】
（３）上記（１）項または（２）項において、座体の回動の停止と解除を操作する回動制御操作レバーとともに、座体の上下方向の位置を調節する上下位置操作レバーを有し、かつ前記回動制御操作レバーを、前記上下位置操作レバーの前方に位置させるようにする。
【００１１】
このように構成することにより、患者が医師と対向しているときに、回動制御操作レバーを医師に近い位置とすることができ、操作し易くなるとともに、回動制御操作レバーと上下位置操作レバーとを見誤って誤操作することを防止することができる。
【００１２】
（４）上記（３）項において、上下位置操作レバーを、座体の左右側方のいずれか一側方にのみ設けるとともに、回動制御操作レバーを、座体の左右両側方に設ける。
【００１３】
このように構成することにより、両操作レバーの外観上の差異がより明確になり、回動制御操作レバーと上下位置操作レバーとを見誤って誤操作することを一層有効に防止することができる。
【００１４】
（５）上記（４）項において、座体の左右両側方に設けた回動制御操作レバーを連結する横杆を、座体の下面に露呈させるとともに、上下位置操作レバーとガススプリングを連係する連係杆を座体の下面から座体における支基の内部に嵌入させる。
【００１５】
このように構成することにより、両操作レバーの外観上の差異がより明確になり、回動制御操作レバーと上下位置操作レバーとを見誤って誤操作することを一層有効に防止することができる。
【００１６】
（６）上記（２）項〜（５）項のいずれかにおいて、回動制御操作レバーによって操作される係合部材を、この係合部材が被係合部材に係合される方向に常時付勢する。
【００１７】
このように構成することにより、座体の停止時において、当該停止状態を安定よく保持することができるとともに、解除時においても、座体の回転位置が予め定められた停止位置と整合した場合に、自動的に停止状態となる。
【００１８】
（７）上記（１）項〜（６）項のいずれかにおいて、座体の回動停止手段が、座体を単一の特定位置に停止させるように構成したものとする。
このように構成することにより、座体を常に単一の特定位置に停止させることができるため、停止位置を選択する手数を省くことができる。
【００１９】
（８）上記（１）項〜（７）項のいずれかにおいて、回動制御操作レバーを、医師を始めとする医療関係者が操作する医師用操作レバーとする。
すなわち、医師用操作レバーは、医師を始めとする看護士、医療検査技師等の患者に接する医療関係者が操作するレバーを意味する。
このようにすることにより、病院等の医療現場における患者の転倒などを、患者に直接に接する前記医療関係者が有効に防止することができる。
【発明の効果】
【００２０】
本発明は、病院等内における診療現場で使用される低長な腰支持体を備える患者用の回転椅子において、患者が着座した状態から立ち上がったり、着座しようとする際、あるいは診察台やベッド等から乗り移る際に、患者の転倒などを有効に防止することができるようにすることができる。
【図面の簡単な説明】
【００２１】
【図１】本発明の患者用椅子の一実施形態を示す側面図である。
【図２】同じく、正面図である。
【図３】図１に示す患者用椅子の座体下部の支基を取り外し、この支基を一部分解して示す上方斜視図である。
【図４】同じく、医師用操作レバーと上下位置操作レバーを取り外して示す支基の分解斜視図である。
【図５】同じく、支基を一部分解して示す下方斜視図である。
【図６】同じく、支基の底面図である。
【図７】座体の回動が停止状態にあるときの支基の図６におけるＡ―Ａ線拡大縦断面図である。
【図８】座体の回動を停止状態から解除状態にするために、係合ピンを被係合孔から脱離させた状態を示す、支基の図６におけるＡ―Ａ線拡大縦断面図である。
【図９】座体の回動が解除状態にあるときの支基の拡大縦断面図である。
【発明を実施するための形態】
【００２２】
図１は、本発明の患者用椅子１の一実施形態を示す側面図、図２は、同じく正面図である。
患者用椅子１は、脚体２の上端に支持部材３を介して座体４が回動可能に支持されている。座体４の後方には、座体４に支持され、着座者の腰を支持する低長な腰支持体５が設けられている。座体４の左右側方には、肘掛け６が設けられている。
脚体２は、円板状の脚底板７とその中央に立設された脚支柱８とよりなる。脚支柱８は、脚管９と、この脚管内に回動不能に嵌挿されたガススプリング１０とよりなり、このガススプリング１０の上端に支持部材３が固着されている。座体４は、支基１１と座シェル１２とクッション部材１３とよりなる。
座体４の左右両側方には、座体４の回動の停止と解除を操作する医師用操作レバー１４が設けられている。
座体４の左側方には、座体４の上下方向の位置を調節する上下位置操作レバー１５が設けられている。
【００２３】
図３は、図１に示す患者用椅子１の座体下部の支基１１を取り外し、この支基１１を一部分解して示す上方斜視図、図４は、同じく医師用操作レバー１４と、上下位置操作レバー１５を取り外して示す支基１１の分解斜視図、図５は、同じく、支基１１を一部分解して示す下方斜視図、図６は、同じく支基１１の底面図である。また、図７は、座体４の回動が停止状態にあるときの支基１１の図６におけるＡ―Ａ線拡大縦断面図、図８は、座体４の回動を停止状態から解除状態にするために、係合ピン４２を被係合孔２０から脱離した状態を示す、支基１１の図６におけるＡ―Ａ線拡大縦断面図である。図９は、座体４の回動が解除状態にあるときの支基１１の拡大縦断面図である。
【００２４】
図４に示すように、支基１１は、上方が開口する箱型をなし、前後方向に長いほぼ長方形状を有する。支基１１の内部中央には、脚体２の上端に支持部材３を介して支基１１を回動可能に支持するための取付孔１６を備える取付筒部１７が設けられている。
支持部材３は、円筒状の基体１８と、この基体１８の下部より外方に突出する支持鍔１９とよりなっている。基体１８の下部のフランジ１８ａの底部が有底浅筒状の支持鍔１９の底部と一体となり、支持部材１３が形成されている。支持鍔１９の筒壁とフランジ１８ａが一部連結され、この部分に被係合孔２０が穿設されている。基体１８の上面には、複数個のねじ孔１８ｂが設けられている。この支持部材３は、ガススプリング１０の上端に圧嵌することにより固定されている。
【００２５】
支基１１は、前記支持部材３に、下部ブッシュ２１、上部ブッシュ２２、環状押板２３を介して、回動可能に支持される。
下部ブッシュ２１は、円筒部２４の下部に外方を向く受鍔２５を備え、受鍔２５の上面には、上向きに突出する３個の係止突起２５ａと、１個の通孔２５ｂとが設けられている。
一方、図７に示すように、支基１１の底面には、前記係止突起２５ａに対応する位置に３個の係止孔２６が、また前記通孔２５ｂに対応する位置に合致孔２７が設けられている。
【００２６】
図４、図７に示すように、下部ブッシュ２１における円筒部２４を、支基１１における取付筒部１７の取付孔１６内に下方から嵌合させるとともに、下部ブッシュ２１における受鍔２５の３個の前記係止突起２５ａを、支基１１における前記３個の前記係止孔２６に係止させることによって、下部ブッシュ２１は支基１１に取付けられて、両者は一体的に回動するようになっている。
また、前記取付孔１６には、上方から上部ブッシュ２２が取付けられている。
上部ブッシュ２２は、円筒部２８の上部に外向鍔２９を設けた形状を有している。
上部ブッシュ２２における円筒部２８を、支基１１における取付筒部１７の取付孔１６内に上方から嵌合させることによって、上部ブッシュ２２は支基１１に取付けられている。
【００２７】
下部ブッシュ２１と上部ブッシュ２２が取付けられた支基１１は、支持部材３における基体１８に上方から外嵌され、次いで環状押板２３が上方から被冠される。環状押板２３には、複数個の通孔３０が穿設されており、この通孔３０に、上方から挿通した止めねじ３１を、支持部材３における基体１８の上面に設けられたねじ孔１８ｂに螺合させることによって、環状押板２３は支持部材３に取付けられている。
【００２８】
前記上部ブッシュ２２、支基１１、下部ブッシュ２１の３者は、前記支持部材３における支持鍔１９と、前記環状押板２３との両者によって挟持され、摺動面が、支持部材３における支持鍔１９とフランジ１８ａの両者の上面と下部ブッシュ２１における受鍔２５の下面、支持部材３における基体１８の外周面と上下部ブッシュ２１、２２の円筒部２８、２４の内周面、環状押板２３の下面と上部ブッシュ２２における外向鍔２９の上面との間に、それぞれ形成され、これらの円滑な摺動によって、支基１１は、支持部材３に対して、回動自在となっている。
【００２９】
支基１１には、座シェル１２を取付けるための４個の取付ボス３２が設けられており、上部にクッション部材１３を取付けた座シェル１２を支基１１の上部に配設して、下方より取付ねじ３３を取付ボス３２の通孔３２ａを挿通して、座シェル１２の下面に穿設された図示しない雌ねじに螺合することにより、座シェル１２、クッション部材１３が、支基１１に取付けられ、これら支基１１、座シェル１２、クッション部材１３の３者により座体４が構成される。
座体４の回動の停止と解除は、図３に示すように、座体４の左右両側方に設けた医師用操作レバー１４を操作することによりなされる。
【００３０】
図３、図５に示すように、左右の医師用操作レバー１４は、左右方向の横杆３４によって連結され、この横杆３４は、支基１１の下面に設けられた左右方向の横杆嵌入溝部３５内に遊嵌状態で嵌入され、座体４の下面に露呈している。前記横杆３４は、支基１１内部に配設された前後方向の縦杆３６の前部がＬ字状に折り曲げられて形成された連結部３６ａが、前記横杆嵌入溝部３５の側壁面に設けられた切欠孔３７を通して支基１１内部から外部に露出され、この連結部３６ａと横杆３４とが溶接などで固着されることにより、縦杆３６と一体化されている。
【００３１】
縦杆３６の後方端は、左右方向の軸杆３８の一遊端と固着されている。この軸杆３８は、支基１１内部の取付筒部１７よりも後方位置に取付けられた下向きコ字状の軸杆保持部３９に軸支され、医師用操作レバー１４を上下方向に操作することにより、縦杆３６は、軸杆３８を軸として、所定範囲で上下方向に回動し得るようになっている。この縦杆３６には、支基１１の中央に設けられた取付筒部１７に向けて第一連係片４０が付設されている。
【００３２】
一方、図３、図７に示すように、前記取付筒部１７の上面における合致孔２７の位置には、前記合致孔２７を跨ぐようにして、下向きコ字状の係合部材保持板４１が取付けられている。
【００３３】
この係合部材保持板４１の天板４１ａの下方に位置する合致孔２７には、前記合致孔２７に上下動可能に嵌合する係合部材としての係合ピン４２が配設されている。
前記合致孔２７と、下部ブッシュ２１の通孔２５ｂとの位置は、整合している。
この係合ピン４２と前記係合部材保持板４１の天板４１ａとの間には、付勢手段としてスプリングばね４３が配設され、係合ピン４２の上部が前記スプリングばね４３の縮径された下部に内嵌状態で圧入されるとともに、スプリングばね４３の上端が前記係合部材保持板４１の天板４１ａ下面に当接している。このため係合ピン４２は、スプリングばね４３により、常時下向きに付勢されている。
【００３４】
前記係合ピン４２には、第二連係片４４が付設されている。この第二連係片４４の遊端は、医師用操作レバー１４で操作される前記縦杆３６に付設された第一連係片４０の遊端の上方に位置した状態で、相互に当接している。
係合ピン４２は、スプリングばね４３によって常時下向きに付勢されているため、座体４を回動させて、図７に示すように、下部ブッシュ２１の通孔２５ｂと整合している、支基１１の合致孔２７の位置を、被係合部材としての支持部材３の被係合孔２０の位置と整合させると、係合ピン４２は自動的に係合ピン４２の下部の係合部４２ａが被係合孔２０に嵌入し、座体４が回動不能に停止される。
【００３５】
この座体４の回動が停止した状態において、第８図に示すように、医師用操作レバー１４を上方に操作すると、縦杆３６が上方に回動し、縦杆３６に付設された第一連係片４０が、第二連係片４４を押し上げて、係合ピン４２の係合部４２ａが、被係合孔２０から脱離し、座体４の回動が解除され、回動可能となる。
【００３６】
また、座体４を支持部材３に対して、相対的に回動させて、座体４の回動が解除されている状態においては、図９に示すように、係合ピン４２の下端は、支持部材３における有底な支持鍔１９の底板１９ａの上面に当接している。
この底板１９ａの上面は、被係合孔２０の底面２０ａよりも上方に位置しているため、座体４の回動の解除時の医師用操作レバー１４の位置は、座体４の回動の停止時の医師用操作レバー１４の位置よりも上方となっている。
【００３７】
また、支持部材３において、被係合孔２０の上面から支持鍔１９の底板１９ａの上面に至る部分は、なだらかな下りの傾斜面２０ｂとなっているため、座体４の回動の解除状態から停止状態に移行する場合にも係合ピン４２が前記傾斜面２０ｂに沿って円滑に上昇するとともに、スプリングばね４３の作用により、座体４を回動させるときの負荷にも変化が生じ、座体４の回動の停止位置を予期することができる。
【００３８】
以上説明したように、本発明における座体４の回動停止手段は、座体４に支持された医師用操作レバー１４によって操作される係合部材としての係合ピン４２と、脚体２に固定された被係合部材としての支持部材３とより構成され、係合ピン４２と支持部材３の被係合孔２０との係脱により、座体４の回動の停止と解除がなされる。また、医師用操作レバー１４の上下方向の位置は、回動の停止時と解除時によって異なり、解除時の方が停止時よりも上方に位置している。
【００３９】
一方、図３に示すように、座体４の上下方向の位置調節は、座体４の左右側方のいずれか一側方にのみ設けた上下位置操作レバー１５を操作することによりなされる。すなわち、上下位置操作レバー１５によって、支基１１の内部に取付けた連係杆保持板４５に保持される連係杆４６を介して、周知の手段でガススプリング１０を操作することにより、座体４の上下方向の位置が調節される。上下位置操作レバー１５は、医師用操作レバー１４よりも後方に配設される。上下位置操作レバー１５に連結される前記連係杆４６は、座体４の下面から支基１１下面に穿設された図示しない嵌入孔を通して、支基１１の内部に嵌入されている。
本発明は、このように両操作レバーの外観上の差異をより明確にすることにより、患者と対向して診察しようとする医師が、患者が着座あるいは立ち上がろうとする際などに備え、使用前に予め座を固定しておいたり、あるいは使用直前に回動制御操作レバーを操作して座を固定するなど、予め回動制御操作レバーにより、回動停止手段を、座体の回動を停止させるように操作することにより、着座あるいは立上がりのときに、患者が転倒したりすることを、より一層有効に防止することができる。
また、診察台やベッド等から当該椅子に乗り移る際にも、医師または看護士等が回動制御操作レバーを操作することにより、患者を負傷させてしまう危険性をより一層有効に防止することができる。
【００４０】
また、図３、図４に示すように、支基１１の後部には、腰支持体取付板４７が固定されており、この腰支持体取付板４７を介して、支基１１に腰支持体５が取付けられる。
【産業上の利用可能性】
【００４１】
医師用操作レバー１４の上下方向の位置を、座体４の回動の停止時と解除時によって、より大きく異なるようにするためには、実施形態において示した支持部材３の形態における支持鍔１９を、有底浅筒状のものではなく、相応の厚みのある円板状のものとしてもよい。また、座体４の停止時と解除時によって、医師用操作レバー１４の前後方向の位置を異なるようにしてもよい。さらに、座体４の回動停止手段を、座体４を単一の特定位置に停止させるものでなく、複数の適所の位置において停止させるようにするなど、適宜、設計変更することができる。
【符号の説明】
【００４２】
１    患者用椅子
２    脚体
３    支持部材（被係合部材）
４    座体
５    腰支持体
６    肘掛け
７    脚底板
８    脚支柱
９    脚管
１０    ガススプリング
１１    支基
１２    座シェル
１３    クッション部材
１４    医師用操作レバー（回動制御操作レバー）
１５    上下位置操作レバー
１６    取付孔
１７    取付筒部  
１８    基体
１８ａ  フランジ
１８ｂ  ねじ孔
１９    支持鍔
１９ａ  座板
２０    被係合孔
２０ａ  底面
２０ｂ  傾斜面
２１    下部ブッシュ
２２    上部ブッシュ
２３    環状押板
２４    円筒部
２５    受鍔
２５ａ  係止突起
２５ｂ  通孔
２６    係止孔
２７    合致孔
２８    円筒部
２９    外向鍔
３０    通孔
３１    止めねじ
３２    取付ボス
３２ａ  通孔
３３    取付ねじ
３４    横杆
３５    横杆嵌入溝部
３６    縦杆
３６ａ  連結部
３７    切欠孔
３８    軸杆
３９    軸杆保持部
４０    第一連係片
４１    係合部材保持板
４１ａ  天板
４２    係合ピン（係合部材）
４２ａ  係合部
４３    スプリングばね
４４    第二連係片
４５    連係杆保持板
４６    連係杆
４７    腰支持体取付板
【図１】
2015084933.tif 000003
【図２】
2015084933.tif 000004
【図３】
2015084933.tif 000005
【図４】
2015084933.tif 000006
【図５】
2015084933.tif 000007
【図６】
2015084933.tif 000008
【図７】
2015084933.tif 000009
【図８】
2015084933.tif 000010
【図９】
2015084933.tif 000011